(57)【要約】      （修正有）【課題】雌部材と雄部材の係合を解除する解除部材とからなる鍵付きバックルを提供する。【解決手段】筒状体１１１からなる雌部材１１と、雌部材の挿入孔に着脱する雄部材１２と、雌部材と雄部材との係合を解除する解除部材１３とから構成されている。雌部材は、一端に一方の帯状体を取り付ける第１取付部と、第１取付部と同じ側に解除部材を挿入する挿入孔と、他端に雄部材を挿入する挿入孔と、雄部材と係合する第１係合部とが一体に成形されている。雄部材は、他方の帯状体を取り付ける第２取付部と、外側中間部に成形された第２係合部、一対の弾性係合片から構成されている。解除部材は、雌部材の雄部材挿入方向と反対側から挿入されることにより、雌部材の第１係合部と雄部材の第２係合部との係合が解除される。解除部材は、雄部材の案内部に沿って差し込める傾斜面を有する解除片を備えている。【選択図】図１
2010201021.tif 000002
【特許請求の範囲】
【請求項１】
一端に一方の帯状体を取り付ける第１取付部、他端に挿入孔、両側内部に設けられた第１係合部、が一体に成形されている筒状体からなる雌部材と、
他端に他方の帯状体を取り付ける第２取付部、前記雌部材の第１係合部に沿って案内する案内部と前記第１係合部に係合する第２係合部とが成形されている一対の弾性係合片、凸条および／またはキー溝が着脱方向に設けられている突出片、が一体に成形されている前記雌部材の挿入孔に着脱する雄部材と、
前記雌部材の筒状体における一端側から前記筒状体内に抜き差し可能に差し入れるとともに、前記雄部材の案内部に沿って差し込める傾斜面を有する一対の解除片、前記突出片に設けられた凸条および／またはキー溝に係合するキー溝および／または凸条が設けられている突出部、が一体に成形されている前記雌部材と雄部材との係合を解除する解除部材と、
から少なくとも構成されている鍵付きバックル。
【請求項２】
前記凸条および／またはキー溝は、前記雄部材における一対の弾性係合片のほぼ間に突出する突出片と、前記解除部材における前記突出部と、に複数組みが設けられていることを特徴とする請求項１に記載された鍵付きバックル。
【請求項３】
前記解除部材は、前記一対の解除片のほぼ間で、差し入れ方向に突出している突出部を有することを特徴とする請求項１または請求項２に記載された鍵付きバックル。
【請求項４】
前記一対の解除片の間に設けられた突出部は、前記解除片の厚みより厚く成形されていることを特徴とする請求項１から請求項３のいずれか１項に記載された鍵付きバックル。
【請求項５】
前記凸条および／またはキー溝は、前記雄部材の突出片と、前記解除部材の突出部の少なくとも片側に設けられていることを特徴とする請求項１から請求項４のいずれか１項に記載された鍵付きバックル。
【発明の詳細な説明】
【技術分野】
【０００１】
本発明は、一方に帯状体を取り付けた雌部材と、他方に帯状体を取り付けた雄部材と、前記雌部材と雄部材の係合を解除する解除部材とからなる鍵付きバックルに関するものである。本発明は、特に、前記解除部材にバリエーションを持たせることにより、セキュリティを高くすることができる鍵付きバックルに関するものである。
【背景技術】
【０００２】
従来の鍵付きバックルは、たとえば、特開２００１−６１５１３号公報に記載されているものがある。前記鍵付きバックルは、雌部材と、雄部材と、解除部材とからなる。前記雌部材は、雄部材が前記雌部材の筒状部内に差入れられた際に、弾性係合片を撓ませる案内部と前記弾性係合片と係合する係合部と有する。前記解除部材は、前記差入れ部を前記雌部材の筒状部内に差入れた際に、前記係合部に係合されている弾性係合片に接し、前記弾性係合片を前記係合部から解除するように撓ませる案内面を有している。
【先行技術文献】
【特許文献】
【０００３】
【特許文献１】特開２００１−６１５１３号公報
【発明の概要】
【発明が解決しようとする課題】
【０００４】
前記公報に記載された鍵付きバックルは、係合部が多く、構造が複雑であるだけでなく、解除部材に多くのバリエーションを持たせたものでもなく、セキュリティを高くすることができなかった。また、前記鍵付きバックルは、構造が複雑であるため、雌部材と雄部材の挿入性に問題があり、また、解除部材を雌部材に挿入する際に雌部材の開口に引っかかる等、使い勝手が良くなかった。
【０００５】
以上のような課題を解決するために、本発明は、雄部材および／または解除部材に凸条および／またはキー溝を複数または位置を変えて設けることにより、セキュリティを高くすることができる鍵付きバックルを提供することを目的とする。また、本発明は、雌部材の形状を単純化するとともに、雄部材および解除部材の形状を抜き差しが容易な形状とすることにより、雌部材、雄部材、解除部材の使い勝手を良くした鍵付きバックルを提供することを目的とする。
【課題を解決するための手段】
【０００６】
（第１発明）
第１発明の鍵付きバックルは、一端に一方の帯状体を取り付ける第１取付部、他端に挿入孔、両側内部に設けられた第１係合部、が一体に成形されている筒状体からなる雌部材と、他端に他方の帯状体を取り付ける第２取付部、前記雌部材の第１係合部に沿って案内する案内部と前記第１係合部に係合する第２係合部とが成形されている一対の弾性係合片、凸条および／またはキー溝が着脱方向に設けられている突出片、が一体に成形されている前記雌部材の挿入孔に着脱する雄部材と、前記雌部材の筒状体における一端側から前記筒状体内に抜き差し可能に差し入れるとともに、前記雄部材の案内部に沿って差し込める傾斜面を有する一対の解除片、前記突出片に設けられた凸条および／またはキー溝に係合するキー溝および／または凸条が設けられている突出部、が一体に成形されている前記雌部材と雄部材との係合を解除する解除部材とから少なくとも構成されている。
【０００７】
（第２発明）
第２発明の鍵付きバックルにおいて、前記凸条および／またはキー溝は、前記雄部材における一対の弾性係合片のほぼ間に突出する突出片と、前記解除部材における前記突出部と、に複数組みが設けられていることを特徴とする。
【０００８】
（第３発明）
第３発明の鍵付きバックルにおいて、前記解除部材は、前記一対の解除片のほぼ間で、差し入れ方向に突出している突出部を有することを特徴とする。
【０００９】
（第４発明）
第４発明の鍵付きバックルにおいて、前記一対の解除片の間に設けられた突出部は、前記解除片の厚みより厚く成形されていることを特徴とする。
【００１０】
（第５発明）
第５発明の鍵付きバックルにおいて、前記凸条および／またはキー溝は、前記雄部材の突出片と、前記解除部材の突出部の少なくとも片側に設けられていることを特徴とする。
【発明の効果】
【００１１】
本発明によれば、凸条および／またはキー溝と嵌合できる解除部材を持った者のみが開けることができるセキュリティの高い鍵付きバックルであり、不用意にバックルが開けられない。
【００１２】
本発明によれば、雄部材および解除部材に設けられた凸条および／またはキー溝が鍵の役目を果たすだけでなく、前記雄部材および解除部材を雌部材に真っ直ぐに挿入する際の案内とすることができる。
【００１３】
本発明によれば、雄部材に設けられた突出片および解除部材に設けられた突出部が差し入れ方向に突出しているため、雌部材に挿入した際に、案内し易い形状になっており、たとえ、斜めに挿入された場合であっても、正しい位置に導かれる。
【００１４】
本発明によれば、前記解除部材に一体に成形されている一対の解除片の間に設けられた突出部は、前記解除片の厚みより厚く成形することにより、前記解除片が雌部材の開口部に引っかかることなく、スムーズに挿入される。
【００１５】
本発明によれば、凸条および／またはキー溝を前記雄部材の突出片および前記解除部材の突出部の両側、または片側、設ける位置、本数、凸条およびキー溝の組合せ等を変えることにより、多数の種類からなる解除部材を作製することができ、よりセキュリティを高くすることができる。
【図面の簡単な説明】
【００１６】
【図１】本発明の実施例であり、嵌合した雌部材および雄部材に対して、解除部材を雄部材と反対側から挿入した状態を説明するための斜視図である。（実施例１）
【図２】本発明の実施例であり、雄部材と解除部材との係合関係を説明するための斜視図である。
【図３】本発明の実施例である雌部材、雄部材、解除部材の平面組立図である。
【図４】本発明の実施例である雌部材、雄部材、解除部材の断面組立図である。
【図５】本発明の実施例である雌部材と雄部材を嵌合した状態の説明図である。
【図６】本発明の実施例である雌部材と雄部材の両端に帯状体を接続した状態を説明するための図である。
【図７】本発明の実施例である雌部材内で、雄部材と解除部材の係合関係を説明するための透視図である。
【図８】本発明の第２実施例である雄部材と解除部材の係合関係を説明するための図である。
【図９】本発明の第３実施例である雄部材と解除部材の異なる係合関係を説明するための図である。
【発明を実施するための形態】
【００１７】
（第１発明）
第１発明の鍵付きバックルは、筒状体からなる雌部材と、前記雌部材の挿入孔に着脱する雄部材と、前記雌部材と雄部材との係合を解除する解除部材とから構成されている。前記雌部材、雄部材、および解除部材は、一部を肉薄にすることにより、弾性を持たせることができる合成樹脂を型材により一体成形により作製される。前記雌部材は、断面が長方形からなる無底筒状体からなるとともに、一端に一方の帯状体を取り付ける、たとえば、細長な開孔部からなる第１取付部と、前記第１取付部と同じ側に前記解除部材を挿入する挿入孔と、他端に前記雄部材を挿入する挿入孔と、前記雄部材を挿入する挿入孔の両側から内部に向かって突出する第１係合部とが一体に成形されている。
【００１８】
前記雄部材は、前記雌部材の挿入孔に着脱できる形状をしており、前記挿入方向と反対側に、他方の帯状体を取り付ける、たとえば、細長な開孔部からなる第２取付部が一体に成形されている。また、前記雄部材は、先端部に成形された案内部、外側中間部に成形された第２係合部、弾性を持たせるように薄肉にした薄肉部から成形される基部、からなる一対の弾性係合片から構成されている。
【００１９】
前記一対の弾性係合片は、側部において、たとえば、緩い曲面が先端部から基部に向かって成形された前記案内部が成形されている。前記案内部は、前記雌部材に挿入されると、前記雌部材の第１係合部に沿って案内されながら内側に曲がる。前記案内部は、前記雌部材の第１係合部を乗り越えることにより、前記第２係合部と前記第１係合部とが係合する。前記雄部材は、前記一対の弾性係合片の間に凸条および／またはキー溝が着脱方向に設けられている突出片が一体に成形されている。
【００２０】
前記解除部材は、前記雌部材の雄部材挿入方向と反対側から挿入されることにより、前記雌部材の第１係合部と雄部材の第２係合部との係合が解除される。前記解除部材は、前記雌部材の筒状体における一端側から前記筒状体内に抜き差し可能にするとともに、前記雄部材の案内部に沿って差し込める傾斜面を有する解除片を備えている。前記解除片は、前記傾斜面が前記雄部材の案内部に沿って内部に挿入されることにより、前記雄部材の弾性係合片を内側に湾曲させ、前記第１係合部と第２係合部との係合を解除させる。
【００２１】
また、前記解除部材は、前記解除片の間に突出部が成形されている。前記突出部は、前記突出片に設けられた凸条および／またはキー溝に係合するキー溝および／または凸条が一体に成形されている。突出部および突片に成形された凸条および／またはキー溝は、その位置を変えることにより、前記雌部材と雄部材との係合を解除できないようにすることができる。すなわち、本発明の鍵付きバックルは、前記凸条および／またはキー溝に嵌合する解除部材を持った者のみが開けることができる。前記突出部または突片は、凸条および／またはキー溝の位置を変えることにより、異なる解除部材によって、不用意にバックルが開けられないようになる。
【００２２】
（第２発明）
第２発明の鍵付きバックルにおいて、前記雄部材における一対の弾性係合片のほぼ間に突出する突出片、および前記解除部材における前記突出部には、任意の位置に複数組みの前記凸条および／またはキー溝が設けられる。前記凸条および／またはキー溝は、突出片および突出部の形状が互いに嵌合できる場合のみ、バックルを解除することができる。また、前記凸条および／またはキー溝は、雌部材の側部および解除部材の側部にも設けることができる。また、前記凸条および／またはキー溝は、鍵の役目を果たすだけでなく、雄部材および解除部材を雌部材に真っ直ぐに挿入する際の案内とすることができる。
【００２３】
（第３発明）
第３発明の鍵付きバックルにおいて、前記解除部材に設けられた突出部は、前記一対の解除片のほぼ間で、差し入れ方向に突出している。前記突出部は、解除部材を前記雌部材に挿入する際に、前記解除片とともに、案内することができ、たとえ斜めに挿入された場合であっても、正しい位置に導かれる。
【００２４】
（第４発明）
第４発明の鍵付きバックルにおいて、前記一対の解除片の間に設けられた突出部は、前記解除片の厚みより厚く成形されていることにより、前記解除片が雌部材の開口部に引っかかることなく、スムーズに挿入される。前記解除片の厚みは、前記解除片を確実に解除位置に導くことができる。
【００２５】
（第５発明）
第５発明の鍵付きバックルにおいて、前記凸条および／またはキー溝は、前記雄部材の突出片と、前記解除部材の突出部の両側、または片側に設けらることができる。前記凸条および／またはキー溝は、設ける場所と位置を変えることにより、多数の種類からなる鍵を作製することができる。
【実施例１】
【００２６】
図１は本発明の実施例であり、嵌合した雌部材および雄部材に対して、解除部材を雄部材と反対側から挿入した状態を説明するための斜視図である。図２は本発明の実施例であり、雄部材と解除部材との係合関係を説明するための斜視図である。図３は本発明の実施例である雌部材、雄部材、解除部材の平面組立図である。図４は本発明の実施例である雌部材、雄部材、解除部材の断面組立図である。図１から図４において、鍵付きバックルは、筒状体からなる雌部材１１と、前記雌部材１１の挿入孔１１２に着脱する雄部材１２と、前記雌部材１１と雄部材１２との係合を解除する解除部材１３とから少なくとも構成されている。前記雌部材１１、雄部材１２、および解除部材１３は、一部を肉薄にすることにより、材料の節約と、弾性を持たせることができる合成樹脂を型材に入れ、一体成形により作製される。
【００２７】
前記雌部材１１は、断面が長方形からなる無底筒状体１１１からなるとともに、一端に一方の帯状体６１（図６参照）を取り付ける、たとえば、細長な少なくとも一個の開孔部からなる第１取付部１１４と、前記第１取付部１１４と同じ側に前記解除部材１３を挿入する挿入孔１１２′（図４参照）と、他端に前記雄部材１２を挿入する挿入孔１１２（図４参照）と、前記雄部材１２を挿入する挿入孔１１２の両側から内部に向かって突出する第１係合部１１３（図３参照）とが一体に成形されている。
【００２８】
前記雄部材１２は、前記雌部材１１の挿入孔１１２に着脱できる形状をしており、前記挿入方向と反対側に、他方の帯状体を取り付ける、たとえば、細長な少なくとも一個の開孔部からなる第２取付部１２２が一体に成形されている。また、前記雄部材１２は、先端部に成形された案内部１２１１、外側中間部に成形された第２係合部１２１２、弾性を持たせるように薄肉にした薄肉部１２１３から成形されている基部、からなる一対の弾性係合片１２１から少なくとも構成されている。
【００２９】
前記一対の弾性係合片１２１は、側部において、たとえば、緩い曲面が先端部から基部に向かって成形された前記案内部１２１１が成形されている。前記案内部１２１１は、前記雌部材１１の挿入孔１１２（図４参照）に挿入されると、前記雌部材１１の第１係合部１１３に沿って案内されながら内側に曲がる。前記案内部１２１１は、前記雌部材１１の第１係合部１１３を乗り越えることにより、前記第２係合部１２１２と前記第１係合部１１３とが係合する。前記雄部材１２は、前記一対の弾性係合片１２１の間に凸条１２３１が着脱方向に設けられている突出片１２３が一体に成形されている。前記凸条１２３１は、複数本にすることができる以外に、キー溝とすることも可能である。
【００３０】
前記解除部材１３は、前記雌部材１１の雄部材１２挿入方向と反対側から挿入されることにより、前記雌部材１１の第１係合部１１３と雄部材１２の第２係合部１２１２との係合が解除される。前記解除部材１３は、前記雌部材１１の筒状体１１１における一端側から前記筒状体内に抜き差し可能にするとともに、前記雄部材１２の案内部１２１１に沿って差し込める傾斜面１３１１を有する解除片１３１を備えている。前記解除片１３１は、前記傾斜面１３１１が前記雄部材１２の案内部１２１１に沿って内部に挿入されることにより、前記雄部材１２の弾性係合片１２１を内側に湾曲させ、前記第１係合部１１３と第２係合部１２１２との係合を解除させる。
【００３１】
また、前記解除部材１３は、前記解除片１３１の間に突出部１３２が成形されている。前記突出部１３２は、前記突出片１２３に設けられた凸条１２３１に係合するキー溝１３２１′が一体に成形されている。突出部１３２および突出片１２３に成形された凸条１２３１およびキー溝１３２１′は、その位置あるいは数を変えることにより、前記雌部材１１と雄部材１２との係合を解除できないようにすることができる。前記解除部材１３は、前記キー溝１３２１、１３２１′または凸条を、断面における点対照に設けられることにより、表および裏を考慮することなく、同じように使用できる。
【００３２】
前記雄部材１２における突出片１２３の凸条１２３１と、前記解除部材１３の突出部１３２のキー溝１３２１は、位置を変えること、本数を複数にすること、あるいは凸条とキー溝およびキー溝と凸条の組み合せにすること、によりバリエーションを多くすることができ、セキュリティを向上させることができる。本発明の鍵付きバックルは、前記凸条および／またはキー溝と嵌合できない解除部材を持った者が開けることができない。
【００３３】
図３および図４において、雌部材１１は、無底筒状体１１１の内部に前記解除部材１３の突出部１３２がスライドして挿入し易くする案内壁１１５が設けられている。前記案内壁１１５は、前記解除部材１３の突出部１３２が案内されながら挿入される空間を形成している。また、前記案内壁１１５の終端近傍には、キーストッパー１１６が設けられている。前記キーストッパー１１６は、前記解除部材１３を前記無底筒状体１１１に挿入した際に、前記突出部１３２の先端が付き当たり、前記解除部材１３を所定位置に停止させる。
【００３４】
図５は本発明の実施例である雌部材と雄部材を嵌合した状態の説明図である。図６は本発明の実施例である雌部材と雄部材の両端に帯状体を接続した状態を説明するための図である。図７は本発明の実施例である雌部材内で、雄部材と解除部材の係合関係を説明するための透視図である。図５から図７は帯状体を取り付けた本発明の鍵付きバックルを組み立てた場合を説明するものである。特に、図７おいて、雌部材１１の内部で、雄部材１２と解除部材１３の係合状態が明りょうに示されている。
【実施例２】
【００３５】
図８は本発明の第２実施例を説明するための鍵付きバックルの斜視図である。図９は本発明の第２実施例の変形である鍵付きバックルの斜視図である。図８において、第２実施例における鍵付きバックルは、突出片１２３に設けられた突条８２３１が中央より片側に偏っている。また、解除部材１３は、前記突条８２３１に嵌合するキー溝８３２１が突出部１３２に設けられている。図９において、第２実施例における変形である鍵付きバックルは、突出片１２３に設けられた突条９２３１が図で示される一番左端に成形されている。また、解除部材１３は、前記突条９２３１に嵌合するキー溝９３２１が突出部１３２の左端に成形されている。
【００３６】
前記雄部材１２における一対の弾性係合片１２１のほぼ間に突出する突出片１２３、および前記解除部材１３における前記突出部１３２には、任意の位置に複数組みの前記凸条および／またはキー溝が設けられる。前記凸条および／またはキー溝は、突出片１２３および突出部１３２の形状が互いに嵌合できる場合にのみ、バックルを解除することができる。また、前記凸条および／またはキー溝は、図示されていないが、本数を複数にすること、および前記複数本の位置を変えることにより、バリエーションを増やすことができる。
【００３７】
前記凸条および／またはキー溝は、前記雌部材１１における無底筒状体１１１の内側部および解除部材１３における解除片１３１の外側部にも設けることができる。また、前記凸条および／またはキー溝は、鍵の役目を果たすだけでなく、前記雄部材１２および解除部材１３を雌部材１１の無底筒状体１１１に真っ直ぐに挿入する際の案内とすることができる。
【００３８】
前記解除部材１３に設けられた突出部１３２は、前記一対の解除片１３１のほぼ中間で、差し入れ方向に突出するように成形されいる。前記突出部１３２は、前記解除部材１３を前記雌部材１１の無底筒状体１１１に挿入する際に、前記解除片１３１とともに、案内することがでる。前記解除部材１３は、たとえ斜め方向に挿入された場合であっても、前記突出部１３２と解除片１３１等により、正しい位置に導かれる。
【００３９】
前記突出部１３２は、前記解除片１３１の厚みより厚く成形することにより、前記解除片１３１が雌部材１３の開口部１１２′に引っかかることなく、スムーズに挿入される。前記解除片１３１の厚みは、前記雌部材１３の開口部１１２′の厚さとほぼ近いものとすることにより、前記解除片１３１を確実に解除位置に導くことができる。
【００４０】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の鍵付きバックルは、特許請求の範囲に記載された事項を逸脱しない限り、雌部材、雄部材、解除部材の形状および材質が変更できることはいうまでもない。
【符号の説明】
【００４１】
１１・・・雌部材
１１１・・・無底筒状体
１１２・・・挿入孔
１１２′・・・挿入孔
１１３・・・第１係合部
１１４・・・第１取付部
１１５・・・案内壁
１１６・・・キーストッパー
１２・・・雄部材
１２１・・・弾性係合片
１２１１・・・案内部
１２１２・・・第２係合部
１２１３・・・薄肉部
１２２・・・第２取付部
１２３・・・突出片
１２３１・・・凸条
１３・・・解除部材
１３１・・・解除片
１３１１・・・傾斜面
１３２・・・突出部
１３２１・・・キー溝
１３３・・・紐取付孔
【図１】
2010201021.tif 000003
【図２】
2010201021.tif 000004
【図３】
2010201021.tif 000005
【図４】
2010201021.tif 000006
【図５】
2010201021.tif 000007
【図６】
2010201021.tif 000008
【図７】
2010201021.tif 000009
【図８】
2010201021.tif 000010
【図９】
2010201021.tif 000011